【事件の表示】
　特許第３３１５１２９号「ロウとカチオン系表面活性剤との微小分散物を含有する流体組成物、その製造及びその応用」の請求項１ないし７、９ないし１２、１４に係る特許に対する特許異議の申立てについて、次のとおり決定する。
【結　論】
　訂正を認める。
　特許第３３１５１２９号の請求項１ないし７、９ないし１２に係る特許を維持する。
【理　由】
１．手続の経緯
　特許第３３１５１２９号の請求項１乃至１６に係る発明は、平成３年２月２５日（パリ条約による優先権主張　平成２年２月２３日　フランス）に特許出願され、平成１４年６月７日に特許権の設定登録がなされ、その後、請求項１乃至７、９乃至１２、１４に係る特許について特許異議申立人　櫻井芳晴より特許異議申立てがなされ、取消理由が通知され、その指定期間内である平成１６年１月５日に訂正請求がなされ、これについて特許異議申立人に対して審尋がなされたものの何らの応答もなかったものである。
　
２．訂正の適否についての判断
２−１．訂正の内容
　上記訂正請求は、願書に添付された明細書（以下、「特許明細書」という。）を訂正請求書に添付された明細書（以下、「訂正明細書」という。）のとおりに訂正することを求めるもので、その内容は以下のとおりである。
ａ．特許明細書の請求項１の「・・・流体組成物であって、・・・を有する、流体組成物」を、「・・・化粧料組成物であって、・・・を有する化粧料組成物」と訂正する。
ｂ．特許明細書の請求項１４を削除する。
ｃ．特許明細書の請求項１５、１６を請求項１４、１５に繰り上げると共に、新たな請求項１５で引用する請求項の項番を１４と訂正する。
ｄ．特許明細書の【０００１】段落に記載の「本発明は・・・を含有する流体組成物、その製造方法及びその応用に関する。」を、「本発明は・・・を含有する化粧料組成物及びその応用に関する。」と訂正する。
ｅ．特許明細書の【００１０】段落の２箇所に記載の「流体組成物」を、「化粧料組成物」と訂正する。
ｆ．発明の名称を「ロウとカチオン系表面活性剤との微小分散物を含有する化粧料組成物及びその応用」と訂正する。
２−２．訂正の目的の適否、新規事項の有無、及び拡張・変更の存否
　訂正事項ａは、請求項１において「流体組成物」を「化粧料組成物」に限定するものであるから、特許請求の範囲の減縮を目的とするものであると云える。そして、特許明細書に記載された「流体組成物」が「化粧料組成物」を含むものであることは、特許明細書、特に【０００８】段落及び【００３３】、【００３４】段落の記載から明らかであるから、かかる訂正は、特許明細書に記載された事項の範囲内でするものであり、しかも、実質上特許請求の範囲を拡張し又は変更するものでもない。
　訂正事項ｂは、請求項を削除するものであるから特許請求の範囲の減縮を目的とするものであると云える。そして、かかる訂正は、特許明細書に記載された事項の範囲内でするものであり、また、実質上特許請求の範囲を拡張し、又は変更するものでもない。
　訂正事項ｃは、訂正事項ｂによる請求項の削除に伴い、削除された請求項に続く請求項の項番を繰り上げると共に、繰り上げられた請求項中で引用する請求項の項番を新たな項番にする訂正である。よって、この訂正は、明りょうでない記載の釈明に該当するものである。そして、かかる訂正は、特許明細書に記載された事項の範囲内でするものであり、また、実質上特許請求の範囲を拡張し、又は変更するものでもない。
　訂正事項ｄ乃至ｆは、訂正事項ａ乃至ｃにより訂正された特許請求の範囲の記載に整合させるべく、発明の詳細な説明の記載及び発明の名称を訂正するものであるから、明りょうでない記載の釈明に該当する。そして、この訂正事項ｄ乃至ｆは、特許明細書に記載された事項の範囲内でするものであり、しかも、実質上特許請求の範囲を拡張し又は変更するものでもない。
２−３．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
３．特許異議申立てについて
３−１．本件発明
　特許第３３１５１２９号の請求項１乃至７、９乃至１２に係る発明（以下、「本件発明１」乃至「本件発明７」及び「本件発明９」乃至「本件発明１２」という。）は、訂正明細書の特許請求の範囲の請求項１乃至７、９乃至１２に記載された次のとおりのものである。
【請求項１】単一相の液体ビヒクル中に分散された、大きさが0.5μｍ未満の固体粒子の安定な微小分散物の形の化粧料組成物であって、前記の固体粒子は、
(A) 該組成物の0.1〜40重量％の少なくとも１種のロウ、
(B) 該組成物の0.01〜25重量％の少なくとも１種のカチオン系乳化剤、
(C) ロウの重量に対して０〜30％の少なくとも１種の油、
(D) ロウの重量に対して０〜10％の、コレステロール及び炭素数が少なくとも12個の脂肪アルコールから選んだ、ロウを乳化し得ない両親媒性化合物、及び
(E) ロウの重量に対して０〜30％の少なくとも１種の油溶性活性成分の混合物から本質的になり、前記の混合物は50℃より高く100℃より低い最終融点を有する化粧料組成物。
【請求項２】非イオン系表面活性剤を含有しない請求項１記載の組成物。
【請求項３】アニオン系表面活性剤を含有しない請求項１記載の組成物。
【請求項４】アニオン系及び非イオン系表面活性剤を含有しない請求項１記載の組成物。
【請求項５】乳化剤は第４級アンモニウム誘導体である請求項１記載の組成物。
【請求項６】 乳化剤は11〜16のＨＬＢ値を有する請求項１記載の組成物。
【請求項７】カチオン系乳化剤は0.1〜10重量％の濃度で存在する請求項１記載の組成物。
【請求項９】油を含有しない請求項１記載の組成物。
【請求項１０】液体ビヒクルは液相の重量につき70〜 100重量％の水を含有する請求項１記載の組成物。
【請求項１１】ロウ／乳化剤の重量比は１〜20の範囲にある請求項１記載の組成物。
【請求項１２】ロウ／乳化剤の重量比は２〜10の範囲にある請求項11記載の組成物。
３−２．異議申立の概要　
　特許異議申立人　櫻井芳晴は、下記の証拠方法を提出し、訂正前の本件の請求項１乃至７、９乃至１２、１４に係る発明は甲第１号証に記載された発明であるから、訂正前の本件の請求項１乃至７、９乃至１２、１４に係る特許は、特許法第２９条第１項第３号の規定により取り消されるべきものである旨主張している。
　甲第１号証：特開平１−２２５６８１号公報
　甲第２号証：「コロイド化学の進歩と実際」　昭和６２年６月５日、日光ケミカルズ（株）及び日本サーファクタント工業（株）発行、第１００〜１０９頁
３−３．甲各号証に記載された事項
（１）当審が取消理由通知で引用した刊行物１である甲第１号証には、下記の記載がある。
１−ア．「固形ワックス　１０〜１６．５重量％、ジ長鎖アルキル型第４級アンモニウム塩　５〜８重量％、ポリオキシエチレンアルキルアミン　０．５〜３．５重量％及び多価アルコール　２〜１５重量％を含有することを特徴とする自動車用ワックス剤組成物。」（特許請求の範囲　請求項１）
１−イ．「本発明は自動車用ワックス剤組成物に関する。さらに詳しくは門型洗車機用の撥水効果に優れ透明で貯蔵安定性に優れた自動車用ワックス剤組成物に関する。」（第１頁右下欄３〜６行）
１−ウ．「本発明で使用される固形ワックスとしては室温で固形のものであれば何れにてもよく、
１．天然ワックスとして、
　(1)動物系ワックス・・・蜜ロウ、鯨ロウ、中国ロウ、羊毛ロウ
　(2)植物系ワックス・・・キヤンデリラ、カルナバ、木ロウ、オリキュリーワックス」（第２頁右上欄１８行〜同頁左下欄５行）
１−エ．「本発明においてワックスの可溶化剤として用いるジ長鎖アルキル型第４級アンモニウム塩としては下記一般式(1)で表されるものが好ましい。」（第２頁右下欄最終行〜第３頁左上欄２行）
１−オ．「本発明においてワックスの可溶化剤として用いるポリオキシエチレンアルキルアミンは下記一般式（2）で表されるものが好ましい。」（第３頁左上欄１７〜１９行）
１−カ．「本発明においてワックスの可溶化助剤及び凍結防止剤として用いられる多価アルコールとしてはエチレングリコール、プロピレングリコール、グリセリンなどが挙げられる。」（第３頁右上欄７〜１０行）
１−キ．「まず、固形ワックス、ジ長鎖アルキル型第４級アンモニウム塩及びポリオキンエチレンアルキルアミンを８５℃以上、好ましくは８５〜９５℃の温度で均一に溶解する。次に多価アルコールを添加する。多価アルコールを添加混合すると系は透明又は若干濁った状態になるが、均一に分散されている状態であればよい。次いで系を６２．５〜７０℃に冷却し、６２．５〜７０℃の温水を徐々に添加する。多価アルコールを添加した時若干濁っていても温水を徐々に添加していくと系は透明になってくるので以後は透明であることを確認しながら温水を徐々に添加していけばよい。転相が終了したのち冷却しストレーナーなどを通しゴミを除く。防腐剤、防錆剤、色素などの少量成分は冷却後に添加するのが普通であるが、水難溶性のものは固形ワックスと可溶化剤の均一溶解時に添加溶解しておくのがよい。」（第３頁左下欄３〜１９行）
１−ク．「製品の安定性は上記方法で得られたワックス剤を２０℃で２４時間放置し、分離の有無及び透明性の低下より判定した。判定基準は次の通りである。○：透明で分離が認められない。」（第３頁右下欄１８行〜第４頁左上欄２行）とあり、第４頁の表１からは、「本発明品」の「ワックスの安定性」が「透明で分離が認められない」こと、及び、「本発明品」を構成する固体成分のうち最も高融点のものは融点８５℃のカルナバワックスであることが窺える。
（２）当審が取消理由通知で引用した刊行物２である甲第２号証には下記の記載がある。
２−ア．「普通のエマルションの粒子径は通常１０３〜１０５Åのオーダーで、光の波長に比べかなり大きく、白濁している。ところが、・・・らは、イオン性界面活性剤／水／油系のエマルションに炭素数４〜１０のアルコールを添加することにより、水、油を多量に含む透明な溶液を得て、これをマイクロエマルション・・・と名付けた。このときの粒子径は約１００から１，０００Å程度と推定され、外観は青色透明の状態を示す（表３・３）。」（第１００頁９〜１３行）とあり、第１００頁の表３・３からは、「外観」が「透明」の「マイクロエマルション」の「粒径」が「１００〜５００」Åであることが窺える。
３−４．対比、判断
（１）本件発明１について
　記載事項１−ア〜クからみて、甲第１号証には自動車用ワックス剤組成物について記載されている。そして、記載事項１−ウからみて、甲第１号証に記載された固形ワックスはカルナバワックス、キヤンデリラワックス等のロウを含むものであり、記載事項１−キからみて、甲第１号証に記載された自動車用ワックス剤組成物は水中に固体のロウ粒子が分散した組成物であると云え、記載事項１−イ及びクからみて、甲第１号証に記載された自動車用ワックス剤組成物は透明で安定なものであると云える。してみると、甲第１号証には下記の発明（以下、「甲１発明」という。）が記載されていると云える。
「水中に固体のロウ粒子が分散した透明で安定な自動車用ワックス剤組成物であって、
　ロウ　１０〜１６．５重量％、
　ジ長鎖アルキル型第４級アンモニウム塩　５〜８重量％、
　ポリオキシエチレンアルキルアミン　０．５〜３．５重量％、及び
　多価アルコール　２〜１５重量％を含有する自動車用ワックス剤組成物。」　
  本件発明１と甲１発明とを対比すると、後者における「水」は前者における「単一相の液体ビヒクル」に相当し、後者の組成物は単一相の液体ビヒクル中に分散された、固体粒子の安定な微小分散物の形の組成物であると云える。そして、後者における「ロウ」は前者における「ロウ」に相当し、後者における「ジ長鎖アルキル型第４級アンモニウム塩」は、カチオン系の界面活性剤であり、記載事項１−エにロウの可溶化剤として用いる旨記載されていることからみて、前者における「カチオン系乳化剤」に相当すると云える。さらに、後者における各成分の含有量が組成物に対するものであることは明らかであるから、後者における「ロウ」の含有量と前者における「ロウ」の含有量は組成物の１０〜１６．５重量％の範囲で一致し、後者における「ジ長鎖アルキル型第４級アンモニウム塩」の含有量と前者における「カチオン系乳化剤」の含有量は組成物の５〜８重量％の範囲で一致する。よって、両者は、
「単一相の液体ビヒクル中に分散された、固体粒子の安定な微小分散物の形の組成物であって、前記の固体粒子は、
(A) 該組成物の１０〜１６．５重量％のロウ、
(B) 該組成物の５〜８重量％のカチオン系乳化剤を含む混合物である組成物。」
で一致し、下記の点で相違する。
（ｉ）固体粒子の大きさについて、前者は0.5μｍ未満と特定されているのに対し、後者は明確な特定がない点。
（ii）組成物が、前者は化粧料組成物であるのに対し、後者は自動車用ワックス剤組成物である点。
（iii）前者は、混合物が50℃より高く100℃より低い最終融点を有するものであるのに対し、後者はかかる特定がない点。
（iv）前者は、組成物がポリオキシエチレンアルキルアミン及び多価アルコールを含有することについて特定がないのに対し、後者は、組成物が該組成物の０．５〜３．５重量％のポリオキシエチレンアルキルアミン及び該組成物の２〜１５重量％の多価アルコールを含有するものである点。
　以上の相違点のうち、特に相違点（ii）が存在する以上、本件発明１と甲１発明は同一であるとは云えず、本件発明１は刊行物１に記載された発明であると云うことはできない。
　なお、さらに相違点（ii）について検討すると、自動車用ワックス剤組成物と化粧料組成物とは必要とされる特性が異なるものであるから、自動車用ワックス剤組成物を化粧料組成物とすることが当業者にとって容易に想到し得たことであるとは直ちに云えない。そして、甲第２号証を検討しても、記載事項２−アに、エマルションが透明であることはエマルション中の固体粒子の粒径が１００〜５００Å、即ち０．１〜０．５μmであることを意味する旨の記載があるだけで、自動車用ワックス剤組成物を化粧料組成物に適用することを示唆する何等の記載もない。よって、上記相違点（ii）で挙げた本件発明１の構成要件は当業者が容易に想到し得たものであるとは云えず、本件発明１は、刊行物１及び２に記載された発明に基いて当業者が容易に発明をすることができたものであるとも云えない。
（２）本件発明２乃至７及び本件発明９乃至１２について
　本件発明２乃至７及び本件発明９乃至１２は、本件発明１をさらに限定したものであるから、上記の本件発明１についての判断と同様の理由により、甲第１号証に記載された発明であるとは云えない。
３−５．むすび
　以上のとおりであるから、特許異議の申立ての理由及び証拠方法によっては本件発明１乃至７及び本件発明９乃至１２についての特許を取り消すことはできない。
　また、他に本件発明１乃至７及び本件発明９乃至１２についての特許を取り消すべき理由を発見しない。
　したがって、本件発明１乃至７及び本件発明９乃至１２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年７月１５日（２００４．７．１５）
【訂正の要旨】
審決（決定）の【理由】欄参照。
（５４）【発明の名称】
ロウとカチオン系表面活性剤との微小分散物を含有する化粧料組成物及びその応用
（５７）【特許請求の範囲】
　【請求項１】　単一相の液体ビヒクル中に分散された、大きさが０．５μｍ未満の固体粒子の安定な微小分散物の形の
化粧料
　（Ａ）該組成物の０．１〜４０重量％の少なくとも１種のロウ、
　（Ｂ）該組成物の０．０１〜２５重量％の少なくとも１種のカチオン系乳化剤、
　（Ｃ）ロウの重量に対して０〜３０％の少なくとも１種の油、
　（Ｄ）ロウの重量に対して０〜１０％の、コレステロール及び炭素数が少なくとも１２個の脂肪アルコールから選んだ、ロウを乳化し得ない両親媒性化合物、及び
　（Ｅ）ロウの重量に対して０〜３０％の少なくとも１種の油溶性活性成分の混合物から本質的になり、前記の混合物は５０℃より高く１００℃より低い最終融点を有する
化粧料
　【請求項２】　非イオン系表面活性剤を含有しない請求項１記載の組成物。
　【請求項３】　アニオン系表面活性剤を含有しない請求項１記載の組成物。
　【請求項４】　アニオン系及び非イオン系表面活性剤を含有しない請求項１記載の組成物。
　【請求項５】　乳化剤は第４級アンモニウム誘導体である請求項１記載の組成物。
　【請求項６】　乳化剤は１１〜１６のＨＬＢ値を有する請求項１記載の組成物。
　【請求項７】　カチオン系乳化剤は０．１〜１０重量％の濃度で存在する請求項１記載の組成物。
　【請求項８】　油が存在する時には、その濃度はロウ又はロウの混合物の重量に対して１０重量％未満である請求項１記載の組成物。
　【請求項９】　油を含有しない請求項１記載の組成物。
　【請求項１０】　液体ビヒクルは液相の重量につき７０〜１００重量％の水を含有する請求項１記載の組成物。
　【請求項１１】　ロウ／乳化剤の重量比は１〜２０の範囲にある請求項１記載の組成物。
　【請求項１２】　ロウ／乳化剤の重量比は２〜１０の範囲にある請求項１１記載の組成物。
　【請求項１３】　乳化剤は別として固体粒子中のロウ及び両親媒性化合物（コレステロールまたは脂肪アルコール）は、固体粒子の重量の９０％以上を表わす請求項１記載の組成物。
　【請求項１４】　毛髪を含浸するのに十分な量で、請求項１〜１３の何れかに記載の組成物を毛髪に施用し且つ場合によっては前記の施用後に該組成物をゆすぐことからなる、整髪の形状及び量感を改善するか又は毛髪の脂肪性外観の出現を遅延するか又はこれらの両方に意図した化粧処理方法。
　【請求項１５】　前記の組成物は施用後にはゆすがない請求項１４記載の化粧処理方法。
【発明の詳細な説明】
　【０００１】
　【産業上の利用分野】
　本発明はロウ即ちワックスの微小分散物（ｍｉｃｒｏｄｉｓｐｅｒｓｉｏｎ）を含有する化粧料組成物及びその応用に関する。
　【０００２】
　【従来の技術及び問題点】
　仏国特許出願第７７，３２７６２号（特許公告第２，３６９，３４０号）は３８〜１５０℃の融点を有するロウを９５％まで含有して０．１〜２００μｍの平均直径の微細粒子を含有する固体、液体又はペースト状香料入り組成物を開示している。これらの粒子は香料用のビヒクルとして役立つように意図され、香料は該粒子の１〜７５重量％を成している。該粒子の大きさは１〜１００μｍであるのが好ましく、５〜５０μｍであるのがより好ましい。これらの粒子はカチオン系表面活性剤を含有する担体又は組成物に配合される。固体粒子の成分は、製造される組成物が液体組成物である時には場合によっては別の成分を存在させながら機械的に砕片にし次いで粉砕する。粉砕生成物は混合により固体又は液体の担体に配合し得る。得られる組成物はペースト、クリーム又は液体組成物の形で提供されしかも繊維品の状態調整（コンディショニング）並びに毛髪の状態調整即ち調髪に有用である。
　【０００３】
　或る油分を有する微小エマルジョン及び或るロウを有する微小分散物であってしかも安定で後者については懸濁した粒子の凝結又は沈降なしに水で無限に希釈できる微小エマルジョン又は微小分散物が得られることも知られている。ロウの微小分散物はアニオン系又は非イオン系表面活性剤の存在下にしかも場合によっては一部分の水も存在させてロウを溶融させ次いで攪拌しながら温水を徐々に添加することにより得られる。油中水型エマルジョンが中間段階で生成し、続いて相の反転により水中油型エマルジョンが最終的に得られる。冷却すると、固体のコロイド状ロウ粒子の安定な微小分散物が得られる；例えばＬ．Ｍ．Ｐｒｉｎｃｅの“Ｍｉｃｒｏｅｍｕｌｓｉｏｎｓ　Ｔｈｅｏｒｙ　ａｎｄ　Ｐｒａｃｔｉｃｅ”Ａｃａｄｅｍｉｃ　ｐｒｅｓｓ（１９７７）２１〜３２頁参照。これらのロウ微小分散物は皮革物品の艶出し並びにプラスチック材料面の被覆に特に使用される。
　【０００４】
　ロウは、一般に或る程度の塑性を有して、水に不溶で油分に可溶で、耐水性のフィルムを形成できる、常塩（２１℃）で固体の天然物質（動物質又は植物質）又は合成物質である。これらロウの定義は例えばＰ．Ｄ．Ｄｏｒｇａｎの“Ｄｒｕｇ　ａｎｄ　Ｃｏｓｍｅｔｉｃ　Ｉｎｄｕｓｔｒｙ”（１９８３）３０〜３３頁及びＨ．Ｗ．Ｈｉｂｂｏｔの“Ｈａｎｄｂｏｏｋ　ｏｆ　Ｃｏｓｍｅｔｉｃ　Ｓｃｉｅｎｃｅ”Ｐｅｒｇａｍｏｎ　Ｐｒｅｓｓ（１９６３）６０頁に挙げることができる。
　【０００５】
　本発明においては「微小分散物」とは以下に記載した方法により又は同様な方法によって得られる分散物を呼ぶ。
　【０００６】
　今般見出された所によれば、かかる微小分散物は先に記載された方法においてアニオン系又は非イオン系の表面活性剤の代りにカチオン系表面活性剤を使用することにより得られる。
　【０００７】
　得られる新規な組成物は興味ある特性を示す。即ち、例えば該組成物は皮革物品用の保持剤（自己光沢生成物）として、主としてプラスチックの表面被覆層として又は持続性の光輝を付与する家具に又は繊維品のコンディショニング剤として使用できる。
　【０００８】
　これらの組成物は化粧料組成物の担体として又は化粧料組成物として且つ特に毛髪用ローションとしても使用できる。これらのローションは、それらが主要な活性成分としてロウを含有する、換言すれば脂肪性物質と分類される物質を含有するとしても、毛髪に脂肪性外観を付与せずむしろ毛髪に脂肪性外観の出現を遅延させるという驚くべき特性を主として示す。
　【０００９】
　更にはカチオン系乳化剤の存在下でロウの微小エマルジョンが得られることは自明ではなかった。組成物中に不可避的に存在し且つ単独で又は別のロウとの混合物として使用されるロウは殆んど常に遊離の脂肪酸を含有することが実際上知られている。それ故、カチオン系表面活性剤とアニオン系特性をもつロウとの間で非混和性の問題があると予期しえたからである。
　【００１０】
　【問題点を解決するための手段、作用及び効果】
　従って、本発明によると、単一相の液体ビヒクル中に分散された、大きさが０．５μｍ未満の固体粒子の安定な微小分散物の形の
化粧料
　（Ａ）該組成物の０．１〜４０重量％の少なくとも１種のロウ、
　（Ｂ）該組成物の０．０１〜２５重量％の少なくとも１種のカチオン系乳化剤、
　（Ｃ）ロウの重量に対して０〜３０％の少なくとも１種の油、
　（Ｄ）ロウの重量に対して０〜１０％の、コレステロール及び炭素数が少なくとも１２個の脂肪アルコールから選んだ、ロウを乳化し得ない両親媒性化合物、及び
　（Ｅ）ロウの重量に対して０〜３０％の少なくとも１種の油溶性活性成分の混合物から本質的になり、前記の混合物は５０℃より高く１００℃より低い最終融点を有する
化粧料
　【００１１】
　本発明により用いたロウ又はロウの混合物は、後記の方法によりカチオン系の乳化剤と組合せて、０．５μｍ未満の粒径の安定な微小分散物を提供できるものでなければならない。使用しえるロウ又はロウの混合物は簡単な定常実験により選択できる。
　【００１２】
　特定の具体例においては、本発明の組成物は次の特性を単独で又は組合せて示すことができる；
　（イ）ロウはカルナウバロウ，カンデリラロウ，アルファロウ及びこれらの混合物から選んだロウである；
　（ロ）ロウはカルナウバロウ又はカンデリラロウ又はこれらの混合物に加えて別のロウ又は別のロウの混合物例えばパラフィンロウ，オゾケライト、水添したジョジョバロウ、場合によってはエステル化した蜜ロウ、米ロウ又は不飽和セラミドを含めてのセラミドの如く別のロウを含有し；かかる混合物中のカルナウバロウ及び／又はカンデリラロウの重量割合は５０％以上であるのが好ましい；
　（ハ）組成物中のロウの割合は０．１〜２０重量％で変化でき、特に１〜２０重量％で変化できる；
　（ニ）カチオン系乳化剤は１１〜１６のＨＬＢ値を特徴とし；好ましいカチオン系表面活性剤は第４級アンモニウム誘導体であり；かかるカチオン系表面活性剤の例は以下の実験部分で提供される；
　（ホ）乳化剤は０．１〜１０重量％の濃度で存在する；
　（ヘ）液体ビヒクルは液相の重量に関して４０〜１００重量％の水を含有する；
　（ト）水性ビヒクルは水からなる；
　（チ）ロウ／乳化剤の重量比は１〜２０の範囲、特に２〜１０の範囲で変化できる；
　（リ）油溶性の活性成分は例えば油溶性の着色剤又は油溶性の濾光剤（紫外線の有害な作用に対して皮膚及び／又は毛髪の如き基質に保護を付与しうる物質）であり；油溶性の活性成分はそれが存在する時にはロウ又はロウの混合物に対して３０重量％以下、一般には１０重量％以下である；
　（ヌ）少なくとも１種の両親媒性（ａｍｐｈｉｐｈｉｌｅ）化合物（ロウを乳化することができない化合物）即ちコレステロール及び少なくとも１２個の炭素原子を含有する脂肪アルコールはロウと合することができ；両親媒性化合物の濃度はロウに対して１０重量％以下である；
　（ル）組成物は油を含有せず又は実際上油の濃度はそれが存在する時にはロウ又はロウの混合物の重量に対して１０重量％以下であり；代表的で有用な油は以下の実験部分に挙げられる油がある；
　（オ）乳化剤は別として粒子中のロウと両親媒性化合物との全重量割合は一般に固体粒子の９０％以上であり、より多くは９５％以上であり；残部は油と場合によっては存在する油溶性の成分である。
　【００１３】
　本発明の組成物は非イオン系及び／又はアニオン系表面活性剤を含有しないのが好ましい。
　【００１４】
　カルナウバの植物ロウ（Ｃｏｐｅｒｎｉｃａ　Ｃｅｒｉｆｅｒａのエキス）、カンデリラの植物ロウ（Ｅｕｐｈｏｒｂｉｅｓ　Ｃｅｒｉｆｅｒａ及びＰｅｄｉｌａｎｔｕｓ　Ｐａｖｏｎｉｓのエキス）及びアルファの植物ロウ（Ｓｔｉｐａ　Ｔｅｎａｃｉｓｓｉｍａのエキス）は市販の商品である。
　【００１５】
　セラミド（ｃｅｒａｍｉｄｅ）は角質層の角質細胞間の空間（ｉｎｔｅｒｃｏｒｎｅｃｏｃｙｔａｒｙ　ｓｐａｃｅｓ）を含有する主要脂質である。セラミドは、特にＤｏｗｎｉｎｇによりＳｃｉｅｎｃｅ（１９８２）１８巻１５６１〜２頁に記載されている。セラミドは老化防止剤として及び水和剤として化粧料組成物に特に用いられる；例えば日本特許出願第８７．１７６９０７号参照。毛髪用組成物においてはセラミドは毛髪保護剤として作用する；例えば欧州特許出願第０２７８５０５参照。
　【００１６】
　これらのセラミドは化粧料組成物中に分散させるのが困難である。本発明を実施した結果としてセラミドを高濃度で分散させることができる。
　【００１７】
場合によっては存在する油溶性の着色剤に例えば次の成分がある；
　１−ニトロ−３−アミノ−４−イソプロピルアニリン、
　１−ニトロ−２−メチル−３−メチルアミノ−４−メチルアニリン、
　３−ニトロ−４−ブチルアミノフェノール、
　４−ヒドロキシ−３−メチルフェニルアゾベンゼン、
　次式
　【００１８】
　【００１９】
を有する化合物。
　【００２０】
　本発明の組成物中に場合によっては存在する代表的な油溶性の濾光剤は特に次の入手し得る化合物を挙げ得る：
　３−ベンジリデン−ｄ，ｌ−樟脳、
　３−（４’メチルベンジリデン）−ｄ，ｌ−樟脳、
　アミル　４−（ジメチルアミノ）ベンゾエート、
　アミル及びイソアミル　ｐ−メトキシシンナメート及び
　メチルサリチレート。
　【００２１】
　本発明の組成物の利点の１つはこれらの油溶性成分を水性媒質中で利用できることである。
　【００２２】
　本発明の組成物はまた別成分を添加し得る組成物用の担体を成し得る。
　【００２３】
　本発明により得られた組成物は特に１種又はそれ以上の慣用の副成分例えば増粘剤、ｐＨ改質剤、香料、防腐剤又は静電防止剤を含有できる。
　【００２４】
　増粘剤は、用いたカチオン系表面活性剤と混和性でなければならない。増粘剤は組成物の粘度が２５℃で約２５ポイズ（又は２．５Ｐａ．ｓ）に少なくとも等しい（Ｃｏｎｔｒａｖｅｓ粘度計、測定体Ｎｏ．３、回転時間１０分、２００ｒｐｍ）ような濃度で使用される。
　【００２５】
　使用できる香料はロウに可溶性であるか又は水に分散性又は可溶性である通常の香料であり、特に水に分散性又は可溶性である香料である。香料は一般に５重量％を越えない濃度で使用される。
　【００２６】
　場合によっては存在する防腐剤には例えばジメチロールジメチルヒダントイン及びイミダゾリジニル尿素誘導体がある。防腐剤は通常の有効量で使用される。
　【００２７】
　本発明の組成物のｐＨは例えば１〜１３で変化でき３〜１１であるのが好ましい。ｐＨは場合によっては通常のｐＨ調節剤を用いて調整できる。
　【００２８】
　本発明の組成物は加熱下に微小エマルジヨンを生成することにより得られる。より詳しく言えば本発明の組成物は、場合によっては油及び／又は油溶性物質を添加したロウと乳化剤との混合物を該混合物の溶融温度より高いが１００℃より低い温度に、場合によっては一部分の水を存在させながら完全に溶融するまで加熱し、次いで前記の温度に少なくとも等しい温度にさせた水又は残りの水を水性連続相中に微小エマルジョンが生成されるまで攪拌により徐々に添加し、次いで微小エマルジョンを室温に冷却させてロウの微小分散物を生成することを主として特徴とする方法によって得られる。
　【００２９】
　本発明の組成物に場合によっては存在する副成分は情況に応じて原料化合物に添加するかは目的とされる組成物に添加される。油溶性成分は一般に微小分散物の生成前にロウに添加される。
　【００３０】
　不揮発性の水溶性成分は場合によっては微小分散物の生成に用いた水に添加し得る。
　【００３１】
　本発明より得られた皮革物品、家具又は表面被覆用の自己光沢組成物は吸収性の塗布器例えばフェルト又は膨脹したプラスチックフオーム製の塗布器を用いて常法により塗布される。組成物はまた噴霧によっても施用できしかも処理表面を柔らかな織物でこすることによって延展できる。
　【００３２】
　本発明により得られた繊維品コンディショニング組成物はゆすぎ用の液体と混合することにより施用される。
　【００３３】
　本発明の化粧料組成物は特に整髪ローションとして且つ脂肪性毛髪を有する被検者の毛髪外観を改善するのに意図されたローションとして使用できる。本発明の組成物はシャンプー前又は後に毛髪を乾燥させ且つ清潔にするのに施用できる。該組成物はゆすいでもゆすがなくても良い。
　【００３４】
　本発明の組成物をシャンプー前に又は後に施用する時には施用に続いて水でゆすぐか又はゆすがず、該組成物は毛髪を整然とさせしかも整髪に良い手入れと量感とを付与する。更には該組成吻は脂じみた毛髪の被検者に見られる毛髪の再脂肪性化現象を遅延させる。
　【００３５】
　この再脂肪性化現象を防止するためには本発明の組成物は、洗浄した後に乾燥させた毛髪に施用でき、特に毛根に近い毛髪の部分に施用できる。この場合には、組成物はゆすぎを行なわない。ゆすぎを行なわないにも拘らず組成物は毛髪に粘着性の触感を付与せずしかも毛髪の糊固着現象を生起しないことが認められる。
　【００３６】
　組成物中にロウが存在するにも拘らず、ゆすぎを行なわなくても毛髪に脂肪性外観を付与しない。更には組成物中に高割合の水が存在するにも拘らず、毛髪の乾燥には何らの問題も生起せず迅速に行われるものである。
　【００３７】
　本発明の組成物が油溶性の着色剤を含有する時には、毛髪を染色する組成物として使用できる。
　【００３８】
　あらゆる割合で水で希釈できる本発明の組成物担体は高割合のロウ例えば１〜４０重量％のロウを含有する濃厚な組成物担体の形で提供できることを認めるのが適当である。これらの濃厚な組成物担体は例えば０．１〜１０％のロウ濃度を得るために使用時に希釈できる。副成分は濃厚組成物の場合には希釈後に添加できる。
　【００３９】
　本発明により得られた組成物担体は一方では、使用時に希釈される前述した濃厚な微小分散物であり、他方では使用時に副成分を添加できる非濃厚性微小分散物（少なくとも水とロウと表面活性剤とを含有する）である。
　【００４０】
　本発明はまた処理すべき毛髪又は毛髪の一部分を含浸させるに十分な量で前述の如き組成物を少なくとも毛根近くの毛髪部分に施用することを特徴とする、整髪の手入れ及び量感を改善し及び／又は毛髪の脂肪性外観の出現を抑制又は遅延させるのに意図した毛髪の化粧処理法に関する。
　【００４１】
　この毛髪化粧処理法は以下に示した如く実施される。
　【００４２】
　本発明を次の実施例により説明するが、これに限定されるものではない。
　【００４３】
　【実施例】
　実施例１〜２０
　ロウの微小分散物の製造例
　ロウの微小分散物の製造方法は次の如くである：
　ロウとカチオン系乳化剤とを混合し、良好な均質化を達成するために温和に攪拌しながら該混合物を約９０℃に加熱した。続いて９０℃に前もって加熱した水を攪拌下に添加し、微小エマルジョンが得られた。ロウの微小エマルジョンを室温に戻し、その時に微小分散物（ミクロディスパージョン）を形成した。
　【００４４】
　カルナウバロウ（組成物全量につき１０重量％）及び種々のカチオン系乳化剤を用いて得られた効果を表Ｉに要約する。
　【００４５】
　懸濁した粒子に関する粒度計での粒度測定（流体力学的な平均直径）は２５℃でコールター（Ｃｏｕｌｔｅｒ）Ｎ４のレーザー粒度計を用いて光の擬弾性拡散により実施した。
　【００４６】
　【００４７】
実施例２１〜２７
　同様な要領で１５％のカルナウバロウの微小分散物を製造した。結果を表ＩＩに要約する。
　【００４８】
　【００４９】
実施例２８〜４０
　同様な要領でロウの混合物を１０重量％含有する微小分散物を製造した。カチオン系表面活性剤は各々の場合３．７９重量％のＣＴＡブロマイドである。結果を表ＩＩＩに要約する。
　【００５０】
　【００５１】
実施例４１〜４３
　次の重量組成を有するロウの微小分散物を製造した；
　　カルナウバロウ　　　　　　　　　　　　　　　　　　　　１０％
　　親油性添加剤　　　　　　　　　　　　　　　　　　　　　　ｘ％
　　ＣＴＡブロマイド　　　　　　　　　　　　　　　　　３．７９％
　　水　　　　　　　　　　　　　　　　　　　　全体を１００％にする必要量
　結果を次の表に要約する：
　【００５２】
　【００５３】
　パーソルＭＣＸはギバウダン社により市販されるオクチルメトキシシンナメートの商品名であり、紫外線の濾過剤（「濾光剤」）として利用される。
　【００５４】
　ウビヌルＭ４０はＢＡＳＦ社により市販される３−ベンゾフェノンの商品名であり、濾光剤として利用される。
　【００５５】
　ロウの微小分散物の製造方法は次の如くである：実施例１の如き方法により、ロウとカチオン系乳化剤と親油性の活性化合物（着色剤又は濾光剤）とを混合した。
　【００５６】
実施例４４〜４６
　実施例４１〜４３に記載されたのと同様な要領で、次の重量組成（但しｘ＋ｙ＝１０％）を有するロウの微小分散物を製造した。
　【００５７】
　　カルナウバロウ　　　　　　　　　　　　　　　　　　　　　　　　　ｘ％
　　油　　　　　　　　　　　　　　　　　　　　　　　　　　　　　　　ｙ％
　　ＣＴＡブロマイド　　　　　　　　　　　　　　　　　　　　　３．７９％
　　水　　　　　　　　　　　　　　　　　　　　　　　　　　　８６．２１％
　結果を次の表に要約する。
　【００５８】
　【００５９】
実施例４７〜４９
　同様な要領で、次の重量組成（但しｘ＋ｙ＝１０％）を有するロウの微小分散物を製造した。
　　カルナウバロウ　　　　　　　　　　　　　　　　　　　　　　　　　ｘ％
　　セラミド及び／又はコレステロール　　　　　　　　　　　　　　　　ｙ％
　　ＣＴＡブロマイド　　　　　　　　　　　　　　　　　　　　　３．７９％
　　水　　　　　　　　　　　　　　　　　　　　　　　　　　　８６．２１％
　結果を次の表に要約する：
　【００６０】
　【００６１】
　　　化粧料組成物の製造例
実施例１Ｃ　毛髪用ローション
　次の諸成分を順々に混合して毛髪用ローションを製造した：
　　実施例１で得られた１０％のロウの微小分散物　　　　　　９７．３ｇ
　　メチルｐ−ヒドロキシベンゾエート（防腐剤）　　　　　　　０．１ｇ
　　ＳＵＴＴＯＮ　ＣＡＢＳの名称で市販されるイミダゾリジニル尿素の誘導体
　　　　　　　　　　　　　　　　　　　　　　　　　　　　　　０．２ｇ
　　ＮａＯＨ　　　　　　　　　　　　　　　　　　ｐＨ＝６．８にする必要量
　　水　　　　　　　　　　　　　　　　　　　　全体を１００ｇにする必要量
　毛髪用ローションを洗髪及び乾燥後に頭髪につき約２ｇの割合で毛髪に施用した。毛髪は量感があり、また腰もあり、もつれずに整然としていた。
　【００６２】
実施例２Ｃ　毛髪用ローション
　次の諸成分を用いて実施例１Ｃの如く操作した：
　　実施例１５で得られた１５％のロウの微小分散物　　　　　　　７０ｇ
　　メチル　ｐ−ヒドロキシベンゾエート　　　　　　　　　　０．１５ｇ
　　ゲルマル（ＧＥＲＭＡＬＬ）１１５（イミダゾリジニル尿素の商標名）
　　　　　　　　　　　　　　　　　　　　　　　　　　　　　　０．２ｇ
　　ＮａＯＨ　　　　　　　　　　　　　　　　　　　　ｐＨ＝７にする必要量
　　水　　　　　　　　　　　　　　　　　　　　全体を１００ｇにする必要量
　毛髪用ローションを清潔で乾燥した毛髪に施用した。毛髪はふっくらと膨脹しておりしかも艶があった。
　【００６３】
実施例３Ｃ及び４Ｃ　整髪用ゲル
　このゲルは次の重量組成を有する：
　【００６４】
　【００６５】
　この整髪用ゲルは頭髪につき２〜５ｇの割合で、毛根を含めて毛髪の長さ全体に沿って清潔で乾燥した毛髪に施用された。
　【００６６】
　整髪用ゲルは毛髪中に容易に延展し、毛髪の触感は絹のように柔らかで量感があり、ふっくらとしてもつれずに整然としていた。
　【００６７】
実施例５Ｃ　毛髪用ローション
　この毛髪用ローションは、次の諸成分を順々に混合して製造された：
　　実施例４１で得られたロウの微小分散物　　　　　　　　　　　９５ｇ
　　メチル　ｐ−ヒドロキシベンゾエート　　　　　　　　　　０．１５ｇ
　　ゲルマル１１５　　　　　　　　　　　　　　　　　　　　　０．２ｇ
　　ＮａＯＨ　　　　　　　　　　　　　　　　　　ｐＨ＝６．８にする必要量
　　水　　　　　　　　　　　　　　　　　　　　全体を１００ｇにする必要量
　この溶液（約２ｇ／頭髪）を、洗髪することなく乾燥した毛髪の分け目毎に施用し、５分間接触させておいてからシャンプーを行なった。毛髪は量感があり、整然としていた。髪の房は黄色となっている。
　【００６８】
実施例６Ｃ　毛髪用ローション
　次の諸成分を用いて実施例１Ｃの如く操作した：
　　実施例４３で得られたロウの微小分散物　　　　　　　　　　　９７ｇ
　　メチル　ｐ−ヒドロキシベンゾエート　　　　　　　　　　　０．１ｇ
　　ゲルマル１１５　　　　　　　　　　　　　　　　　　　　　０．２ｇ
　　ＮａＯＨ　　　　　　　　　　　　　　　　　　ｐＨ＝６．８にする必要量
　　水　　　　　　　　　　　　　　　　　　　　全体を１００ｇにする必要量
　この組成物を２ｇ／頭髪の割合で、清潔で乾燥した毛髪に対して、毛根及び毛髪の長さ全体に亘って施用した。
　【００６９】
　毛髪は柔らかで整然としておりしかもふっくらとしていた。この組成物を施用すると毛髪に紫外線保護効果を付与するものである。
　【００７０】
実施例７Ｃ
　次の諸成分を順々に混合してローションを製造した：
　　実施例４６ａで得られたロウの微小分散物　　　　　　　　　　９５ｇ
　　メチル　ｐ−ヒドロキシベンゾエート　　　　　　　　　　０．１５ｇ
　　ゲルマル１１５　　　　　　　　　　　　　　　　　　　　　０．２ｇ
　　ＮａＯＨ　　　　　　　　　　　　　　　　　　ｐＨ＝６．９にする必要量
　　水　　　　　　　　　　　　　　　　　　　　全体を１００ｇにする必要量
　この組成物を乾燥した且つ清潔な毛髪に施用すると、髪型はふっくらとし且つ艶がある。
　【００７１】
実施例８Ｃ
　次の諸成分を用いて実施例１Ｃの如く操作した：
　　実施例４９で得られたロウの微小分散物　　　　　　　　　　　９７ｇ
　　メチル　ｐ−ヒドロキシベンゾエート　　　　　　　　　　　０．１ｇ
　　ゲルマル１１５　　　　　　　　　　　　　　　　　　　　　０．２ｇ
　　ＮａＯＨ　　　　　　　　　　　　　　　　　　　　ｐＨ＝７にする必要量
　　水　　　　　　　　　　　　　　　　　　　　全体を１００ｇにする必要量
　この組成物をシャンプー後に施用した。毛髪は手入れが良く、整然としており且つ腰がある。